(57)【要約】      （修正有）【課題】消毒剤に全く触れることなく医療器具の消毒作業及び消毒剤の交換を容易に行うことができる、作業性、携帯性及び経済性に優れた消毒器具を提供する。【解決手段】複数個の消毒剤含浸ユニット３を内部に有する芯部１と、それを覆う鞘部２とを含むノック式ペン型消毒器具であって、消毒器具の後端部に設けられたノック機構４を押すことにより芯部内の消毒剤含浸ユニットが消毒器具の先端部から一部露出されることを特徴とするノック式ペン型消毒器具。【選択図】        図１
2004154384.tif 000002
【特許請求の範囲】
【請求項１】
複数個の消毒剤含浸ユニットを内部に有する芯部と、それを覆う鞘部とを含むノック式ペン型消毒器具であって、消毒器具の後端部に設けられたノック機構を押すことにより芯部内の消毒剤含浸ユニットが消毒器具の先端部から一部露出されることを特徴とするノック式ペン型消毒器具。
【請求項２】
消毒器具の先端部に取りはずし可能なキャップが設けられ、このキャップを先端部に装着することにより先端部から露出される消毒剤含浸ユニットが気密封止されることを特徴とする請求項１に記載のノック式ペン型消毒器具。
【請求項３】
消毒器具のノック機構中にゴムリングが設けられ、このゴムリングによりノック機構の作動にかかわらず消毒器具の後端部における消毒剤含浸ユニットの気密封止が達成されることを特徴とする請求項１又は２に記載のノック式ペン型消毒器具。
【請求項４】
複数個の消毒剤含浸ユニットがそれぞれ個別包装されていることを特徴とする請求項１〜３のいずれかに記載のノック式ペン型消毒器具。
【請求項５】
複数個の消毒剤含浸ユニットが容易に折れるように形成された分離部で各々連結されていることを特徴とする請求項１〜３のいずれかに記載のノック式ペン型消毒器具。
【請求項６】
点滴セットの三方活栓の接続部の消毒に使用することを特徴とする請求項１〜５のいずれかに記載のノック式ペン型消毒器具。
【発明の詳細な説明】
【０００１】
【発明が属する技術分野】
本発明は消毒剤に全く手を触れることなく消毒作業及び消毒剤の交換を容易に行うことができる、携帯に適したノック式ペン型消毒器具に関し、特に点滴セットの三方活栓の接続部の消毒の使用に適した消毒器具に関するものである。
【０００２】
【従来の技術】
現在病院において消毒を必要とする様々な医療器具が存在する。かかる医療器具の一例として点滴セットで使用する三方活栓がある。三方活栓は点滴ルートの途中に設置し、そこから薬剤を注入するための三方に分枝された医療器具である。例えば三方活栓の場合、その三方に分枝された接続部の一つに注射針を差し込む時、その接続部に付着した菌、例えばセラチア菌が点滴溶液に混入し、体内に入り込むおそれがある。
【０００３】
近年病院内で死亡事故が多発しているが、これらの大きな要因として上述のような医療器具から混入する菌が原因であることが認められている。かかる菌による医療器具の汚染に対して医療従事者は医療器具を消毒剤を含浸させた綿球で頻繁に殺菌することで対処しているが、手作業による医療器具の消毒は新たな菌の混入のおそれがあるだけでなく、消毒剤の交換時にも菌で汚染される可能性があり、消毒作業に細心の注意を要していた。また従来の医療器具の消毒方法では消毒剤の調製、交換による作業が煩雑であり、消毒器具も携帯に適していないため、使用が簡単で携帯可能な消毒器具が求められていた。
【０００４】
かかる消毒器具の一例として、有効成分を含む液体を吸蔵した多孔性及び弾力性を有する保持体を、ラミネート袋中に移動可能に密封した液体塗布具であって、該ラミネート袋の一部を切除して該保持体の少なくとも一部を開封口部分から押し出すことができる使い捨て用液体塗布具が提案されているが（特許文献１参照）、作業性、携帯性及び経済性に問題があった。
【０００５】
【特許文献１】
実開昭６３−１８４０５０号公報（実用新案登録請求の範囲）
【０００６】
【発明が解決しようとする課題】
本発明はかかる従来の医療器具の消毒方法の現状に鑑み創案されたものであり、その目的は消毒剤に全く触れることなく医療器具の消毒作業及び消毒剤の交換を容易に行うことができる、作業性、携帯性及び経済性に優れた消毒器具を提供することである。
【０００７】
【課題を解決するための手段】
本発明者はかかる目的を達成するために消毒器具及び消毒剤の最適な形態に関して鋭意検討した結果、複数個の消毒剤含浸ユニットを芯部に入れたノック式の筆記具の形態が上述の目的を達成するのに最適であることを見出し、本発明の完成に至った。
【０００８】
即ち、本発明は複数個の消毒剤含浸ユニットを内部に有する芯部と、それを覆う鞘部とを含むノック式ペン型消毒器具であって、消毒器具の後端部に設けられたノック機構を押すことにより芯部内の消毒剤含浸ユニットが消毒器具の先端部から一部露出されることを特徴とするノック式ペン型消毒器具である。
【０００９】
本発明のノック式ペン型消毒器具の好ましい様態では、消毒器具の先端部に取りはずし可能なキャップが設けられ、このキャップを先端部に装着することにより先端部から露出される消毒剤含浸ユニットが気密封止され、また消毒器具のノック機構中にゴムリングが設けられ、このゴムリングによりノック機構の作動にかかわらず消毒器具の後端部における消毒剤含浸ユニットの気密封止が達成される。また、本発明のノック式ペン型消毒器具の好ましい様態では、複数個の消毒剤含浸ユニットがそれぞれ個別包装されているか、又は複数個の消毒剤含浸ユニットが容易に折れるように形成された分離部で各々連結されている。また、本発明のノック式ペン型消毒器具は点滴セットの三方活栓の接続部の消毒に使用するのに極めて好適である。
【００１０】
【発明の実施の形態】
本発明のノック式ペン型消毒器具の一例を以下に説明するが、本発明はこれに限定されるものではない。
図１は本発明のノック式ペン型消毒器具の一例を一部破断して概略的に示したものである。図１からわかるように、本発明の消毒器具は複数個の一回使用単位の消毒剤含浸ユニット３を内部に有する芯部１と、その芯部１を覆う鞘部２とを含み、消毒器具の後端部（図の右端部）に設けられたノック機構４を（図の左側に向かって）押すことにより芯部１内の消毒剤含浸ユニット３が順次整列して消毒器具の先端部（図の左端部）に向かって進み、そこから一部露出されて消毒作業に供するようになっている。
【００１１】
本発明の消毒器具は芯部１において消毒剤含浸ユニット３を用いることを除いて、筆記具業界において従来公知のノック式ペンの構造を基本的に採用するものであり、以下においては従来公知の構造の詳細な説明は省略する。
【００１２】
本発明の消毒剤含浸ユニット３は使用後に容易に分離廃棄できるように一回使用に適したサイズのものであり、芯部１にはこれらの消毒剤含浸ユニット３が複数個連続的に整列して内部に入れられている。複数個の消毒剤含浸ユニット３はそれぞれ一回使用ごとに包装を除去できるように個別包装されてもよく、あるいは容易に折れて分離できるように形成された分離部で各々連結されてもよい。分離部を設ける場合は、消毒作業後にペン先の消毒剤含浸ユニット１個分を硬い場所に押しつけて使用済の消毒剤含浸ユニット３を分離廃棄することができる。
【００１３】
本発明の消毒剤含浸ユニット３としては従来公知の消毒剤及び含浸用基材を使用することができ、例えば消毒効果のあるアルコール溶液をポリエステル繊維収束体に含浸させたものを挙げることができる。また消毒剤含浸ユニット３に使用する薬剤としては、従来公知の組成、種類の消毒剤ならいずれのものも使用することができ、例えばイソプロパノールを精製水で薄めたものを挙げることができる。
【００１４】
本発明の消毒器具は消毒剤含浸ユニット３に揮発性の消毒剤を含浸させているため、その消毒剤が揮発して消毒効果を失わないように消毒器具の先端部及び後端部に気密封止構造を採用することが好ましい。例えば図２に示すように消毒器具の先端部には公知の筆記具と同様に気密封止可能なキャップを設けることができ、このキャップを装着することにより先端部から露出される消毒剤含浸ユニットの消毒剤の揮発を避けることができる。また消毒器具の後端部にも気密封止構造を設けることができ、例えばゴムリングを芯部と鞘部の間に設けることにより、ノック機構の動作にかかわらず後端部からの消毒剤含浸ユニット３の消毒剤の揮発を避けることができる。
【００１５】
次に本発明の消毒器具の先端部における消毒剤含浸ユニット３の保持構造例を図３（ａ），（ｂ）によって概略的に示す。図３（ａ）はかかる保持構造の分解図であり、図３（ｂ）はその組立図である。図３（ａ），（ｂ）からわかるように消毒剤含浸ユニット３の保持構造は筆記具業界で従来公知のものであり、消毒剤含浸ユニット３を直接保持することができる内部保持体８（これは芯部１であることができる）と、その内部保持体８を外部から保持して内部保持体８の保持力を調整する外部保持体９と、内部保持体８と外部保持体９の嵌合保持状態を調整するスプリング１０からなっている。
【００１６】
本発明の消毒器具は通常は先端部が図３（ｂ）のようにスプリング１０が外部保持体９を内部保持体８に押しつけた状態にあり、この状態では内部保持体８の内孔の直径が狭いため消毒剤含浸ユニット３をしっかりと保持する。一方ノック機構により消毒器具の後端部から内部保持体８（芯部１）が押されると内部保持体８が外部保持体９より先端に出ることになり、これにより内部保持体８の内孔の直径が広がるため、消毒剤含浸ユニット３の保持状態は解除され、消毒剤含浸ユニット３は先端に押し出るようになる。
【００１７】
本発明の消毒器具の上記以外の他の構造は筆記具業界において従来公知の構造を適宜採用すればよく、例えば胸ポケットに引っかけるためのクリップや作業しやすいデザインなどを採用することができる。
【００１８】
本発明の消毒器具は医療器具全般の消毒に使用することができるが、特に点滴セットの三方活栓の接続部の如き小さな部位の消毒に極めて好適である。
【００１９】
本発明の消毒器具は上述のように構成されているので、以下のような効果を奏する。
（１）    消毒剤に全く触れることなく医療器具の消毒作業を安全に行うことができる。
（２）    一回使用分の消毒剤含浸ユニットが複数個含まれているため、消毒剤の交換及び取扱いが容易である。
（３）    ペン型であるため携帯性及び作業性に優れている。
（４）    従来の筆記具に類似した簡単な構造のため、経済性及び生産性に優れている。
【図面の簡単な説明】
【図１】本発明のノック式ペン型消毒器具の一例を一部破断して概略的に示したものである。
【図２】キャップをはめた状態の図１のノック式ペン型消毒器具を示したものである。
【図３】（ａ）は消毒剤含浸ユニットの保持構造の分解図であり、（ｂ）はその組立図である。
【符号の説明】
１  芯部
２  鞘部
３  消毒剤含浸ユニット
４  ノック機構
５  キャップ
６  キャップ気密封止部
７  ゴムリング
８  内部保持体
９  外部保持体
１０  スプリング
【図１】
2004154384.tif 000003
【図２】
2004154384.tif 000004
【図３】
2004154384.tif 000005